(57)【要約】      （修正有）【課題】食器が食器かごに簡単に正しく並べられる食器洗浄機を提供する。【解決手段】食器洗浄機は、上部が開口した引き出し式の洗浄槽２と、洗浄槽内に食器を支持する食器かご１０と、を備え、食器かご１０は、洗浄槽２に対して着脱自在であり、複数の種別かご１１ａ、１１ｂ、１１ｃ、１１ｄに分けて構成され、それぞれは洗浄槽２内の内側面と対向した外側支持部１２ａを有するので、使用者は外側支持部１２ａを手掛かりに洗浄槽２内に正しく設置できる。【選択図】図７
2019170792.tif 000002
【特許請求の範囲】
【請求項１】
上部が開口した引き出し式の洗浄槽と、
前記洗浄槽内に食器を支持する食器かごと、
を備え、
前記食器かごは、前記洗浄槽に対して着脱自在であり、外側にて外側面を構成した外側支持部を有する食器洗浄機。
【請求項２】
前記食器かごは、内側を区切った仕切り部を有する請求項１に記載の食器洗浄機。
【請求項３】
前記食器かごは、複数の種別かごに分けて構成される請求項１又は２に記載の食器洗浄機。
【請求項４】
複数の前記種別かごのそれぞれは、前記洗浄槽内の内側面と対向した前記外側支持部を有する請求項３に記載の食器洗浄機。
【請求項５】
複数の前記種別かごのそれぞれにおける前記外側支持部の高さは、相互に異なる請求項３又は４に記載の食器洗浄機。
【請求項６】
前記外側支持部は、使用者が触って前後左右を確認できる方向表現部を有する請求項１〜５のいずれか１項に記載の食器洗浄機。
【請求項７】
前記方向表現部は、前記洗浄槽内の内側面と対向した前記外側支持部を前記洗浄槽内の中心方向の前記外側支持部に対して網目が無い又は細かい網目で構成される請求項６に記載の食器洗浄機。
【請求項８】
前記方向表現部は、前記洗浄槽内の中心方向の前記外側支持部に形成された開口状の持ち手である請求項６又は７に記載の食器洗浄機。
【請求項９】
前記方向表現部は、前記洗浄槽内の内側面と対向した前記外側支持部を前記洗浄槽内の中心方向の前記外側支持部よりも高い高さで構成される請求項６〜８のいずれか１項に記載の食器洗浄機。
【請求項１０】
前記仕切り部は、前記洗浄槽内の内側面方向に対して凸形状に形成される請求項２〜９のいずれか１項に記載の食器洗浄機。
【発明の詳細な説明】
【技術分野】
【０００１】
本発明は、洗浄槽内の食器かごに食器を並べて洗浄する食器洗浄機に関する。
【背景技術】
【０００２】
従来、食器を並べる食器かごに工夫を施した食器洗浄機が知られている（特許文献１参照）。特許文献１の食器洗浄機は、食器かごの一部に食器の種類ごとの支持領域に対応した表示部を設けている。
【０００３】
また、他の技術として、食器の種類ごとの支持領域を色分けしたものも知られている。
【先行技術文献】
【特許文献】
【０００４】
【特許文献１】特許第６１０４８５５号公報
【発明の概要】
【発明が解決しようとする課題】
【０００５】
しかしながら、全盲、弱視又は色盲などの視覚障害者、あるいは視力又は色の識別が困難な高齢者などは、上記の食器かごの工夫であっても、食器を正しく並べられない課題があった。
【０００６】
本発明は、上記課題を解決するためのものであり、食器が食器かごに簡単に正しく並べられる食器洗浄機を得ることを目的とする。
【課題を解決するための手段】
【０００７】
本発明の食器洗浄機は、上部が開口した引き出し式の洗浄槽と、前記洗浄槽内に食器を支持する食器かごと、を備え、前記食器かごは、前記洗浄槽に対して着脱自在であり、外側にて外側面を構成した外側支持部を有するものである。
【発明の効果】
【０００８】
本発明に係る食器洗浄機によれば、食器かごは、洗浄槽に対して着脱自在であり、外側にて外側面を構成した外側支持部を有する。したがって、食器が食器かごに簡単に正しく並べられる。
【図面の簡単な説明】
【０００９】
【図１】本発明の実施の形態１に係る食器洗浄機付きシステムキッチンを示す外観斜視図である。
【図２】本発明の実施の形態１に係る食器洗浄機の洗浄槽を引き出した状態のシステムキッチンを示す外観斜視図である。
【図３】本発明の実施の形態１に係る食器洗浄機を示す斜視図である。
【図４】本発明の実施の形態１に係る洗浄槽を引き出した状態の食器洗浄機を示す斜視図である。
【図５】本発明の実施の形態１に係る食器洗浄機の内部構成を示す上面図である。
【図６】本発明の実施の形態１に係る食器洗浄機の内部構成を示す縦断面図である。
【図７】本発明の実施の形態１に係る洗浄槽と食器かごを示す分解斜視図である。
【図８】本発明の実施の形態１に係る食器かごを複数の種別かごに分割した状態を示す分解斜視図である。
【図９】本発明の実施の形態１に係る箸立てと小物かごとを一体化した種別かごに構成した状態を示す斜視図である。
【図１０】本発明の実施の形態１の変形例１に係る箸立てと小物かごとを個別の種別かごに構成した状態を示す分解斜視図である。
【図１１】本発明の実施の形態１の変形例２に係る食器かごを複数の種別かごに分割した状態を示す分解斜視図である。
【図１２】本発明の実施の形態１の変形例３に係る洗浄槽内の内側面と対向した外側支持部を洗浄槽内の中心方向の外側支持部よりも高い高さで構成した種別かごを示す斜視図である。
【図１３】本発明の実施の形態１の変形例４に係る洗浄槽内の内側面と対向した外側支持部を洗浄槽内の中心方向の外側支持部に対して細かい網目の方向表現部で構成した種別かごを示す斜視図である。
【図１４】本発明の実施の形態１に係る洗浄槽内の内側面方向に対して凸形状に形成された仕切り部を有する食器かごを示す概略構成図である。
【図１５】本発明の実施の形態１の変形例５に係る洗浄槽内の内側面方向に対して凸形状に形成された仕切り部を有する食器かごを示す概略構成図である。
【発明を実施するための形態】
【００１０】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１１】
実施の形態１．
＜システムキッチン１００の全体構成＞
図１は、本発明の実施の形態１に係る食器洗浄機１付きシステムキッチン１００を示す外観斜視図である。図２は、本発明の実施の形態１に係る食器洗浄機１の洗浄槽２を引き出した状態のシステムキッチン１００を示す外観斜視図である。
【００１２】
図１、図２に示すように、システムキッチン１００は、食器洗浄機１と、加熱調理器１０１と、シンク１０２と、を備える。食器洗浄機１と、加熱調理器１０１と、シンク１０２と、は一体化したユニットに形成されている。また、システムキッチン１００は、キッチンの小物を収納する引き出し１０３と、鍋又はフライパンなどを収納する収納庫１０４と、を備える。
【００１３】
食器洗浄機１は、食後の汚れた食器を洗浄する。食器洗浄機１の上方の平面部１０５は、まな板などを載置する載置部に形成されている。
【００１４】
加熱調理器１０１は、食器洗浄機１の使用者から見て左側に配置されている。加熱調理器１０１は、載置面にて電磁誘導コイルによって鍋又はフライパンなどを加熱する。加熱調理器１０１は、内部に魚などを焼くグリルを内蔵している。
【００１５】
シンク１０２は、食器洗浄機１の使用者から見て右側に配置されている。シンク１０２は、キッチン水栓１０２ａの蛇口から水を流す水槽状のユニットである。
【００１６】
図２に示すように、食器洗浄機１は、上部が開口した引き出し式の洗浄槽２を備える。洗浄槽２には、上部の開口から洗浄槽２内に食後の汚れた食器が並べられ、洗浄される。あるいは、使用者が洗浄槽２内から食器かご１０を取り出し、食器かご１０内に食後の汚れた食器が並べられ、食器かご１０を戻し、洗浄される。
【００１７】
＜食器洗浄機１の外観構成＞
図３は、本発明の実施の形態１に係る食器洗浄機１を示す斜視図である。図４は、本発明の実施の形態１に係る洗浄槽２を引き出した状態の食器洗浄機１を示す斜視図である。
【００１８】
図３、図４に示すように、食器洗浄機１は、直方体形状の本体３で区画されたユニットである。食器洗浄機１は、本体３からシステムキッチン１００の使用者の手前側に洗浄槽２を引き出し自在である。引き出し式の洗浄槽２は、上部が開口している。
【００１９】
図４に示すように、洗浄槽２の４つの外側面には、側壁面部４が取り付けられている。システムキッチン１００の使用者の引き出し手前側の側壁面部４は、前側意匠面部４ａに形成されている。前側意匠面部４ａは、システムキッチン１００の他のユニットの前側意匠面部と調和のとれた意匠が施されている。
【００２０】
＜食器洗浄機１の内部構成＞
図５は、本発明の実施の形態１に係る食器洗浄機１の内部構成を示す上面図である。図６は、本発明の実施の形態１に係る食器洗浄機１の内部構成を示す縦断面図である。
【００２１】
食器洗浄機１は、洗浄槽２内に、洗浄ノズル５と、図示しないヒータと、を備える。洗浄ノズル５は、洗浄槽２内の下部に配置され、洗浄水を噴出する。ヒータは、洗浄水を加熱する。
【００２２】
また、食器洗浄機１は、洗浄槽２内の下部に、図示しない洗浄ポンプと、図示しない排水ポンプと、を備える。洗浄ポンプは、洗浄ノズル５に洗浄水を圧送する。排水ポンプは、汚れた洗浄水を排出する。
【００２３】
図５に示すように、洗浄槽２の縁部における洗浄槽２と前側意匠面部４ａとの間の上面部６には、リンス補給口７と、表示部８と、操作部９と、が設けられている。
【００２４】
＜食器洗浄機１の動作＞
汚れた食器を洗浄する場合には、使用者が洗浄槽２を本体３から引き出す。そして、使用者は、洗浄槽２内又は洗浄槽２から取り出した食器かご１０に汚れた食器を並べる。食器が並べ終わると、使用者は、食器かご１０を収納した洗浄槽２を本体３内に押し込む。そして、使用者の意図又は自動的に洗浄水に洗剤を投入する。次に、使用者は、洗浄槽２のスライドロックをかける。この状態で、使用者は、操作部９のスタートスイッチをＯＮする。
【００２５】
これにより、給水弁が開弁され、洗浄槽２内に洗浄水が給水される。そして、水量センサが所定量の洗浄水Ｗの給水を検知すると、給水弁が閉弁される。次に、ヒータが通電され、洗浄水が所望の温度に加熱される。そして、洗浄ポンプが駆動され、温水化した洗浄水が洗浄ノズル５に圧送され、洗浄ノズル５のノズル孔５ａから洗浄水が噴射され、食器が洗浄される。このとき、洗浄ノズル５は、洗浄水の噴射による反力によって回転する。これにより、洗浄槽２内に並べられた食器に万遍なく洗浄水が噴射される。洗浄槽２内に噴射された洗浄水は、落下して洗浄槽２内の下部に集まり、再び洗浄ノズル５から噴射される。この循環が繰り返され、洗浄工程となっている。なお、洗浄工程では、洗浄槽２が本体３内に収納されているので、洗浄水が洗浄槽２外に飛散することはない。
【００２６】
所定時間経過すると、ヒータ及び洗浄ポンプへの通電が停止する。また、排水ポンプが駆動され、洗浄槽２内の汚水が外部に排出される。
【００２７】
次に、排水が終わると、排水ポンプへの通電を停止し、給水弁が開弁され、新たな洗浄水が洗浄槽２内に給水される。以後、上述した洗浄工程と同様の動作によって食器のすすぎ洗いが行われ、所定時間のすすぎ洗いが終わると、すすぎ洗いに用いた洗浄水が排水される。このようなすすぎ洗いと排水とが数回繰り返される。この繰り返しがすすぎ工程となっている。このとき、リンスタンクからリンスが供給されてすすぎ洗い用の洗浄水に加えられ、食器が乾燥仕上げに適した状態になる。
【００２８】
すすぎ工程が終了すると、送風機及びヒータが通電され、洗浄槽２内に外気が導入される。外気は、ヒータで加熱されて温風となり、洗浄槽２内に送られて食器及び洗浄槽２の内部全体を乾燥させる。乾燥に用いた温風は、排気口から外部に排出される。この工程が乾燥工程となる。
【００２９】
乾燥工程が所定時間経過すると、送風機及びヒータへの通電が停止され、乾燥工程が終了する。これにより、食器の洗浄、すすぎ及び乾燥が完了する。なお、これら一連の動作は、制御部のマイクロコンピュータに設定されたプログラムに従って自動的に行われる。
【００３０】
食器を取り出す場合には、使用者は、洗浄槽２のスライドロックを解除し、洗浄槽２を本体３から手前に引き出し、食器を取り出す。あるいは、使用者は、洗浄槽２内から食器かご１０を取り出し、その後に食器を食器かご１０内から取り出す。
【００３１】
＜食器かご１０の構成＞
図７は、本発明の実施の形態１に係る洗浄槽２と食器かご１０を示す分解斜視図である。図７に示すように、食器かご１０は、洗浄槽２内に食器を支持する。食器かご１０は、上部が開口した引き出し式の洗浄槽２に着脱自在であり、上方から洗浄槽２内に収納できる。食器かご１０は、複数の種別かご１１ａ、１１ｂ、１１ｃ、１１ｄに分けて構成される。隣接する種別かご１１ａ、１１ｂ、１１ｃ、１１ｄは、双方の境界及び外側の外側面に外側支持部１２ａ、１２ｂが設けられている。種別かご１１ａ、１１ｂ、１１ｃ、１１ｄは、上部が開口した直方体形状である。種別かご１１ａ、１１ｂ、１１ｃ、１１ｄは、少なくとも底面を網目に形成され、洗浄水を内部に浸入させられる。なお、複数の種別かご１１ａ、１１ｂ、１１ｃ、１１ｄは、それぞれ個別に分離してもよいし、互いが一体化された１つの食器かご１０でも良い。
【００３２】
このように、食器かご１０は、壁となる外側支持部１２ａ、１２ｂを備えて食器を支持する。食器かご１０は、洗浄槽２内に食器かご１０を設置した状態にて食器を並べられるだけでなく、洗浄槽２外に取り出した食器かご１０に食器を並べてから、洗浄槽２内に食器かご１０を収納することもできる。つまり、食器かご１０は、洗浄槽２に対して取り付け及び取り外し自在である。
【００３３】
＜種別かご１１ａ、１１ｂ、１１ｃ、１１ｄの構成＞
図８は、本発明の実施の形態１に係る食器かご１０を複数の種別かご１１ａ、１１ｂ、１１ｃ、１１ｄに分割した状態を示す分解斜視図である。図８に示すように食器かご１０は、複数の種別かご１１ａ、１１ｂ、１１ｃ、１１ｄに分けて構成される。種別かご１１ａは、大皿かごである。種別かご１１ｂは、椀かごである。種別かご１１ｃは、中皿かごである。種別かご１１ｄは、箸立て及び小物かごである。箸立てと小物かごとは、一体化されている。このため、図８に示す食器かご１０は、４つの種別かご１１ａ、１１ｂ、１１ｃ、１１ｄによって構成されている。種別かご１１ａ、１１ｂ、１１ｃ、１１ｄは、内部に並べる食器の種類によって形状が異なる。種別かご１１ａ、１１ｂ、１１ｃ、１１ｄは、それぞれ直方体形状であり、上部が開口したものである。複数の種別かご１１ａ、１１ｂ、１１ｃ、１１ｄのそれぞれにおける外側支持部１２ａ、１２ｂの高さは、相互に異なる。種別かご１１ａ、１１ｂ、１１ｃ、１１ｄの内部には、内側を区切った仕切り部１３が設けられる。なお、種別かご１１ａ、１１ｂ、１１ｃ、１１ｄの数は、複数であれば良い。
【００３４】
ここでは、洗浄槽２の内側面が４面であることに応じて、食器かご１０が４つに分けて構成される。これにより、それぞれの種別かご１１ａ、１１ｂ、１１ｃ、１１ｄの外側支持部１２ａの２か所が洗浄槽２の内側面に対峙させられる。すなわち、それぞれの種別かご１１ａ、１１ｂ、１１ｃ、１１ｄは、２か所の外側支持部１２ａを洗浄槽２内の内側面の２面とそれぞれ対峙して収納できる。
【００３５】
また、それぞれの種別かご１１ａ、１１ｂ、１１ｃ、１１ｄの外側支持部１２ａの少なくとも１か所が洗浄槽２の内側面に対峙させられても良い。つまり、複数の種別かご１１ａ、１１ｂ、１１ｃ、１１ｄのそれぞれは、洗浄槽２内の内側面と対向した外側支持部１２ａを有する。
【００３６】
外側支持部１２ａ、１２ｂは、使用者が触って前後左右を確認できる方向表現部１４を有する。ここでは、洗浄槽２内の内側面に対峙する２か所の外側支持部１２ａは、その２か所の外側支持部１２ａの面を前後又は左右のどの方向かを触って確認できる方向表現部１４を有する。方向表現部１４は、洗浄槽２内の内側面と対向した２か所の外側支持部１２ａを網目が無い状態で構成されている。
【００３７】
また、方向表現部１４は、洗浄槽２内の中心方向の２か所の外側支持部１２ｂに形成された開口状の持ち手１５である。方向表現部１４が持ち手１５によって構成されていることにより、使用者が種別かご１１ａ、１１ｃの洗浄槽２の中心側の外側支持部１２ｂであることを認識できると同時に、使用者が種別かご１１ａ、１１ｃを把持できる機能も兼ねている。
【００３８】
ここでは、各種別かご１１ａ、１１ｂ、１１ｃ、１１ｄの高さが相互に異なっている。しかし、種別かご１１ａ、１１ｂ、１１ｃ、１１ｄを収納する洗浄槽２の底面に段差部が設けられ、高さの低い種別かご１１ａ、１１ｂ、１１ｃ、１１ｄの設置位置がかさ上げされて使い勝手を良くしても良い。
【００３９】
＜種別かご１１ｄの構成＞
図９は、本発明の実施の形態１に係る箸立てと小物かごとを一体化した種別かご１１ｄに構成した状態を示す斜視図である。図９に示すように、食器かご１０は、箸立てと小物かごとを一体化した種別かご１１ｄに構成している。小さな種別かごが増えすぎて使用者が取り扱い難くなることを防止している。
【００４０】
＜変形例１の種別かご１１ｅ、１１ｆ＞
図１０は、本発明の実施の形態１の変形例１に係る箸立てと小物かごとを個別の種別かご１１ｅ、１１ｆに構成した状態を示す分解斜視図である。変形例１では、上記実施の形態１と異なる部分を説明する。変形例１では、上記実施の形態１と同様な事項は、説明を省略する。
【００４１】
図１０に示すように、食器かご１０は、箸立てと小物かごとを個別の種別かご１１ｅ、１１ｆに構成してもよい。この場合には、食器かご１０は、５つの種別かご１１ａ、１１ｂ、１１ｃ、１１ｅ、１１ｆから構成されている。種別かご１１ａ、１１ｂ、１１ｃ、１１ｅ、１１ｆが５つの場合には、方向表現部１４を有する種別かご１１ａ、１１ｂ、１１ｃ、１１ｅ、１１ｆが洗浄槽２内の内側面を利用して先に位置を決められ、種別かご１１ａ、１１ｂ、１１ｃ、１１ｅ、１１ｆが位置決めでき、最後の１つの種別かご１１ａ、１１ｂ、１１ｃ、１１ｅ、１１ｆが空いたスペースに設置できる。
【００４２】
＜変形例２の種別かご１１ａ、１１ｂ、１１ｃ、１１ｇの構成＞
図１１は、本発明の実施の形態１の変形例２に係る食器かご１０を複数の種別かご１１ａ、１１ｂ、１１ｃ、１１ｇに分割した状態を示す分解斜視図である。変形例２では、上記実施の形態１及び変形例１と異なる部分を説明する。変形例２では、上記実施の形態１及び変形例１と同様な事項は、説明を省略する。
【００４３】
図１１に示すように、食器かご１０は、４つの種別かご１１ａ、１１ｂ、１１ｃ、１１ｇから構成されている。食器かご１０は、箸立てと小物かごとを仕切り部１３で分けた１つの種別かご１１ｇに構成されている。小さな種別かごが増えすぎて使用者が取り扱い難くなることを防止している。
【００４４】
＜変形例３の方向表現部１４＞
図１２は、本発明の実施の形態１の変形例３に係る洗浄槽２内の内側面と対向した外側支持部１２ａを洗浄槽２内の中心方向の外側支持部１２ｂよりも高い高さで構成した種別かご１１ｂを示す斜視図である。変形例３では、上記実施の形態１及び変形例１、２と異なる部分を説明する。変形例３では、上記実施の形態１及び変形例１、２と同様な事項は、説明を省略する。
【００４５】
図１２に示すように、方向表現部１４は、洗浄槽２内の内側面と対向した外側支持部１２ａを洗浄槽２内の中心方向の外側支持部１２ｂよりも高い高さで構成されている。また、方向表現部１４は、洗浄槽２内の内側面と対向した外側支持部１２ａを洗浄槽２内の中心方向の外側支持部１２ｂに対して網目が無い状態で構成されている。
【００４６】
＜変形例４の方向表現部１４＞
図１３は、本発明の実施の形態１の変形例４に係る洗浄槽２内の内側面と対向した外側支持部１２ａを洗浄槽２内の中心方向の外側支持部１２ｂに対して細かい網目の方向表現部１４で構成した種別かご１１ｂを示す斜視図である。変形例４では、上記実施の形態１及び変形例１〜３と異なる部分を説明する。変形例３では、上記実施の形態１及び変形例１〜３と同様な事項は、説明を省略する。
【００４７】
方向表現部１４は、洗浄槽２内の内側面と対向した外側支持部１２ａを洗浄槽２内の中心方向の外側支持部１２ｂに対して細かい網目で構成されている。また、細かい網目は、目の細かさを異ならせることにより、使用者が前後左右を判断できるようにしても良い。
【００４８】
なお、方向表現部１４は、外側支持部１２ａ、１２ｂの一部に点字を設け、点字によって前後左右を表現し、視覚障害者でも簡単に判別できるようにしても良い。
【００４９】
＜仕切り部１３の構成＞
図１４は、本発明の実施の形態１に係る洗浄槽２内の内側面方向に対して凸形状に形成された仕切り部１３を有する食器かご１０を示す概略構成図である。図１４に示すように、仕切り部１３は、洗浄槽２内の内側面方向に対して凸形状に形成されている。言い換えれば、仕切り部１３は、洗浄槽２内の中心方向に対して凹形状に形成されている。凸形状の仕切り部１３は、円弧形状に屈曲している。
【００５０】
これによれば、使用者が種別かご１１ａ、１１ｂ、１１ｃを洗浄槽２内に収納する方向を認識できると同時に、使用者が種別かご１１ａ、１１ｂ、１１ｃに食器を入れる方向を触って直感的に把握できる。また、仕切り部１３の向きに対して使用者が間違った向きで食器を並べようとすると、食器が入り難く、使用者が並べる食器の向きを間違え難い。
【００５１】
なお、仕切り部１３は、種別かご１１ａ、１１ｃ内に食器を２枚入れるために１か所設けるほかに、種別かご１１ａ、１１ｃ内に２か所設けて食器を３枚入れても良い。また、仕切り部１３は、種別かご１１ｂ内を縦横方向に仕切って複数の食器を入れても良い。
【００５２】
＜変形例５の仕切り部１３＞
図１５は、本発明の実施の形態１の変形例５に係る洗浄槽２内の内側面方向に対して凸形状に形成された仕切り部１３を有する食器かご１０を示す概略構成図である。変形例５では、上記実施の形態１及び変形例１〜４と異なる部分を説明する。変形例５では、上記実施の形態１及び変形例１〜４と同様な事項は、説明を省略する。
【００５３】
図１５に示すように、凸形状の仕切り部１３は、食器としてのお椀などの糸底に合わせた１段凹む箇所を突出させた形状である。これによれば、仕切り部１３の向きに対して使用者が正しい向きで食器を並べられ、使用者が並べる食器の向きをより間違え難い。
【００５４】
＜実施の形態１の効果＞
実施の形態１によれば、食器洗浄機１は、上部が開口した引き出し式の洗浄槽２を備える。食器洗浄機１は、洗浄槽２内に食器を支持する食器かご１０を備える。食器かご１０は、洗浄槽２に対して着脱自在であり、外側にて外側面を構成した外側支持部１２ａ、１２ｂを有する。
【００５５】
この構成によれば、全盲、弱視又は色盲などの視覚障害者、あるいは視力又は色の識別が困難な高齢者などの使用者であっても、食器かご１０を洗浄槽２から取り外して食器を並べられる。そして、使用者は、食器かご１０に食器を並べ終わってから、食器かご１０を洗浄槽２内に設置できる。また、食器かご１０が外側支持部１２ａ、１２ｂを有するので、使用者が食器かご１０の洗浄槽２内への設置方向を容易に分かる。したがって、食器が食器かご１０に簡単に正しく並べられる。
【００５６】
実施の形態１によれば、食器かご１０は、内側を区切った仕切り部１３を有する。
【００５７】
この構成によれば、使用者は、食器かご１０内に食器を仕切り部１３によって隔てられた空間に簡単に正しく並べられる。
【００５８】
実施の形態１によれば、食器かご１０は、複数の種別かご１１ａ、１１ｂ、１１ｃ、１１ｄ、１１ｅ、１１ｆ、１１ｇに分けて構成されている。
【００５９】
この構成によれば、使用者は、分けられた複数の種別かご１１ａ、１１ｂ、１１ｃ、１１ｄ、１１ｅ、１１ｆ、１１ｇを別個に洗浄槽２内から取り出し、食器を種別ごとに種別かご１１ａ、１１ｂ、１１ｃ、１１ｄ、１１ｅ、１１ｆ、１１ｇ内に並べられる。そのため、食器洗浄機１は、使い勝手が良い。
【００６０】
実施の形態１によれば、複数の種別かご１１ａ、１１ｂ、１１ｃ、１１ｄ、１１ｅ、１１ｆ、１１ｇのそれぞれは、洗浄槽２内の内側面と対向した外側支持部１２ａを有する。
【００６１】
この構成によれば、使用者が分けられた複数の種別かご１１ａ、１１ｂ、１１ｃ、１１ｄ、１１ｅ、１１ｆ、１１ｇを別個に洗浄槽２内から取り出しても、種別かご１１ａ、１１ｂ、１１ｃ、１１ｄ、１１ｅ、１１ｆ、１１ｇの洗浄槽２内の内側面と対向した外側支持部１２ａを手掛かりに、使用者が種別かご１１ａ、１１ｂ、１１ｃ、１１ｄ、１１ｅ、１１ｆ、１１ｇを洗浄槽２内に正しく設置できる。そのため、食器洗浄機１は、使い勝手が良い。
【００６２】
実施の形態１によれば、複数の種別かご１１ａ、１１ｂ、１１ｃ、１１ｄ、１１ｅ、１１ｆ、１１ｇのそれぞれにおける外側支持部１２ａ、１２ｂの高さは、相互に異なる。
【００６３】
この構成によれば、使用者は、どの種別かご１１ａ、１１ｂ、１１ｃ、１１ｄ、１１ｅ、１１ｆ、１１ｇがどの食器の種別に応じたものか容易に分かる。
【００６４】
実施の形態１によれば、外側支持部１２ａ、１２ｂは、使用者が触って前後左右を確認できる方向表現部１４を有する。
【００６５】
この構成によれば、使用者が食器かご１０を洗浄槽２内から取り出しても、方向表現部１４を手掛かりに、使用者が食器かご１０を洗浄槽２内に正しく設置できる。そのため、食器洗浄機１は、使い勝手が良い。
【００６６】
実施の形態１によれば、方向表現部１４は、洗浄槽２内の内側面と対向した外側支持部１２ａを洗浄槽２内の中心方向の外側支持部１２ｂに対して網目が無い又は細かい網目で構成されている。
【００６７】
この構成によれば、使用者は、食器かご１０の表面を触った感触で前後左右が確認でき、食器かご１０を洗浄槽２内に正しく設置し易い。また、洗浄槽２内の内側面と対向した外側支持部１２ａは、網目が無い又は細かい網目で構成されている。これにより、洗浄槽２内の内側面と対向した外側支持部１２ａが洗浄槽２内の内側面の代用面となり、食器洗浄機１の洗浄性能が洗浄槽２内の内側面と対向した外側支持部１２ａによって悪化しない。
【００６８】
実施の形態１によれば、方向表現部１４は、洗浄槽２内の中心方向の外側支持部１２ｂに形成された開口状の持ち手１５である。
【００６９】
この構成によれば、使用者は、食器かご１０の持ち手１５をつかむことで前後左右が確認でき、食器かご１０を洗浄槽２内に正しく設置し易い。また、持ち手１５が開口状に形成されているので、食器洗浄機１の洗浄性能が持ち手１５によって悪化しない。
【００７０】
実施の形態１によれば、方向表現部１４は、洗浄槽２内の内側面と対向した外側支持部１２ａを洗浄槽２内の中心方向の外側支持部１２ｂよりも高い高さで構成されている。
【００７１】
この構成によれば、使用者は、食器かご１０を触った高さで前後左右が確認でき、食器かご１０を洗浄槽２内に正しく設置し易い。
【００７２】
実施の形態１によれば、仕切り部１３は、洗浄槽２内の内側面方向に対して凸形状に形成されている。
【００７３】
この構成によれば、使用者は、食器かご１０に入れる食器の方向が容易に分かり、間違えが起こり難い。また、食器かご１０に並べられた食器が整列され、食器の設置状態が安定し、食器洗浄機１の洗浄性能が安定する。
【符号の説明】
【００７４】
１  食器洗浄機、２  洗浄槽、３  本体、４  側壁面部、４ａ  前側意匠面部、５  洗浄ノズル、５ａ  ノズル孔、６  上面部、７  リンス補給口、８  表示部、９  操作部、１０  食器かご、１１ａ  種別かご、１１ｂ  種別かご、１１ｃ  種別かご、１１ｄ  種別かご、１１ｅ  種別かご、１１ｆ  種別かご、１１ｇ  種別かご、１２ａ  外側支持部、１２ｂ  外側支持部、１３  仕切り部、１４  方向表現部、１５  持ち手、１００  システムキッチン、１０１  加熱調理器、１０２  シンク、１０２ａ  キッチン水栓、１０３  引き出し、１０４  収納庫、１０５  平面部。
【図１】
2019170792.tif 000003
【図２】
2019170792.tif 000004
【図３】
2019170792.tif 000005
【図４】
2019170792.tif 000006
【図５】
2019170792.tif 000007
【図６】
2019170792.tif 000008
【図７】
2019170792.tif 000009
【図８】
2019170792.tif 000010
【図９】
2019170792.tif 000011
【図１０】
2019170792.tif 000012
【図１１】
2019170792.tif 000013
【図１２】
2019170792.tif 000014
【図１３】
2019170792.tif 000015
【図１４】
2019170792.tif 000016
【図１５】
2019170792.tif 000017